(57)【要約】【課題】めくり上げた状態に仮保持できるという点で利便性に優れたシートを提供する。このシートを使用することで、経済的負担を徹底的に低減させることができるものとし、しかもゴミ発生数の解消にも大きく貢献できるようにする。また種々様々な用途に好適に使用できるものとする。【解決手段】可撓性を有するシート本体２と、前記シート本体２の一方面に貼付された粘着シート３とを有し、前記シート本体２には、前記粘着シート３が貼付されていない方の面に対して裏側に前記粘着シート３がオーバーラップする配置で一時剥離用の蓋片８が設けられ、前記蓋片８には、裏側に前記粘着シート３がオーバーラップしなくなる領域まで拡張させて形成した引き起こし用のツマミ部１２が設けられている。【選択図】図１
2018068734.tif 000002
【特許請求の範囲】
【請求項１】
可撓性を有するシート本体と、
前記シート本体の一方面に貼付された粘着シートと、を有し、
前記シート本体には、前記粘着シートが貼付されていない方の面に対して裏側に前記粘着シートがオーバーラップする配置で一時剥離用の蓋片が設けられ、
前記蓋片には、裏側に前記粘着シートがオーバーラップしなくなる領域まで拡張させて形成した引き起こし用のツマミ部が設けられている
ことを特徴とする被覆シート。
【請求項２】
前記蓋片及び前記ツマミ部は、前記シート本体において裏側に前記粘着シートがオーバーラップする領域内で互いに離反させて配置した二点を基端としてこれら基端間をＵターン状に繋いだ切り抜きで縁取ることによって形成されていることを特徴とする請求項１記載の被覆シート。
【請求項３】
前記蓋片を縁取りしている切り抜きは、前記ツマミ部との境界位置から両側の前記基端に向けて前記蓋片の剥離を進行させる過程で一旦、基端間距離よりも幅狭となる部位を経た後に基端間距離へ拡大される向きの傾斜成分を有して形成されていることを特徴とする請求項２記載の被覆シート。
【請求項４】
前記蓋片を縁取りしている切り抜きには、前記ツマミ部から両側の前記基端に向けて前記蓋片の剥離を進行させる開始位置に基端間距離よりも幅狭となるように幅方向内向きに突出するアール部が設けられていることを特徴とする請求項２又は請求項３記載の被覆シート。
【請求項５】
前記ツマミ部を縁取りしている切り抜きは、ターン位置から両側の前記基端に向けて前記ツマミ部の引き起こしを進行させる過程で一旦、基端間距離よりも幅広となる部位を経た後に基端間距離へ縮小される向きの傾斜成分を有して形成されていることを特徴とする請求項２乃至請求項４のいずれか１項に記載の被覆シート。
【請求項６】
前記粘着シートは両面テープによって形成されていることを特徴とする請求項１乃至請求項５のいずれか１項に記載の被覆シート。
【発明の詳細な説明】
【技術分野】
【０００１】
本発明は、経済的な負担を徹底的に低減させることができ、そのうえでめくり上げた状態を仮保持できるという点で利便性に優れ、また種々様々な用途に好適に使用することができる被覆シートに関する。
【背景技術】
【０００２】
患者の体内から尿などの排液を体外へ取り出して暫時的に溜めておくための排液バッグ（例えば、特許文献１等）は、貯留量を知る目的で一部又は全部が透明乃至半透明の素材で形成されている。
この種の排液バッグは、患者に対して着衣の上から巻きつけるベルト器具や、点滴スタンド、或いは車椅子などに保持させて使用するのが一般的とされ、これによって患者と共に移動できるようにしている。このうち、車椅子へ排液バッグを取り付ける場合の一例として、排液バッグの側縁部にパイプ状の取付具を付設しておき、この取付具を、車椅子側に固定した棒状のアタッチメントへ刺し通すようにしたものが知られている（例えば、特許文献２等）。
【先行技術文献】
【特許文献】
【０００３】
【特許文献１】実開平３−１０１９２７号公報
【特許文献２】特開２００４−２０１９９２号公報
【発明の概要】
【発明が解決しようとする課題】
【０００４】
排液バッグは着衣の上、又は患者から離れて保持されるので、排液バッグ内に排液が溜まった様子を他人に見られることに対して患者には大きな精神的負担がつきまとうことになる。しかしながら、排液バッグを専用のカバンや袋などに入れて隠すようなことは作業的に面倒であると共に、カバンや袋の購入費用が発生する点で一般化するほどの利用はない。
【０００５】
そこで排液バッグの外側に目隠しとなる不透明カバー（織布、不織布、樹脂フィルム）を両面テープなどで貼り付けるといったことが工夫されることがあったが、排液バッグ内の排液を廃棄する際などにはこの不透明カバーが汚れるので、排液バッグから剥がさざるを得ない。多くの場合は、このまま廃棄している（使い捨てにする）。
そのため、日常的に使用するという観点から、不透明カバーの準備や交換、廃棄などが面倒であるうえに、患者やその家族にとっては経済的負担が重いということがあった。のみならず、実質的に使い捨てとされる不透明カバーについてゴミ問題も指摘される懸念もある。
【０００６】
本発明は、上記事情に鑑みてなされたものであって、経済的負担を徹底的に低減させることができるものとし、しかもゴミ発生数の解消にも大きく貢献でき、そのうえでめくり上げた状態を仮保持できるという点で利便性に優れた被覆シートを提供することを目的とする。
また本発明は、種々様々な用途に好適に使用することができる被覆シートを提供することを目的とする。
【課題を解決するための手段】
【０００７】
前記目的を達成するために、本発明は次の手段を講じた。
即ち、本発明に係る被覆シートは、可撓性を有するシート本体と、前記シート本体の一方面に貼付された粘着シートと、を有し、前記シート本体には、前記粘着シートが貼付されていない方の面に対して裏側に前記粘着シートがオーバーラップする配置で一時剥離用の蓋片が設けられ、前記蓋片には、裏側に前記粘着シートがオーバーラップしなくなる領域まで拡張させて形成した引き起こし用のツマミ部が設けられていることを特徴とする。
【０００８】
前記蓋片及び前記ツマミ部は、前記シート本体において裏側に前記粘着シートがオーバーラップする領域内で互いに離反させて配置した二点を基端としてこれら基端間をＵターン状に繋いだ切り抜きで縁取ることによって形成されたものとするのが好適である。
前記蓋片を縁取りしている切り抜きは、前記ツマミ部との境界位置から両側の前記基端に向けて前記蓋片の剥離を進行させる過程で一旦、基端間距離よりも幅狭となる部位を経た後に基端間距離へ拡大される向きの傾斜成分を有して形成されたものとするのがよい。
【０００９】
前記蓋片を縁取りしている切り抜きには、前記ツマミ部から両側の前記基端に向けて前記蓋片の剥離を進行させる開始位置に基端間距離よりも幅狭となるように幅方向内向きに突出するアール部が設けられたものとするのがよい。
前記ツマミ部を縁取りしている切り抜きは、ターン位置から両側の前記基端に向けて前記ツマミ部の引き起こしを進行させる過程で一旦、基端間距離よりも幅広となる部位を経た後に基端間距離へ縮小される向きの傾斜成分を有して形成されたものとしてもよい。
【００１０】
前記粘着シートは両面テープによって形成されたものとするのがよい。
前記粘着シートを形成する両面テープは、前記シート本体に接着される面が強粘着面とされ当該強粘着面とは反対側を向く面が強粘着面よりも接着力の弱い弱粘着面とされたものとするのが好適である。
【発明の効果】
【００１１】
本発明に係る被覆シートでは、経済的負担を徹底的に低減させることができるものとし、しかもゴミ発生数の解消にも大きく貢献でき、そのうえでめくり上げた状態を仮保持できるという点で利便性に優れている。また本発明に係る被覆シートでは、用途的に限定されるものではなく、種々様々な用途に好適に使用することができる。
【図面の簡単な説明】
【００１２】
【図１】本発明に係る被覆シートを示した正面図である。
【図２】図１のＡ部拡大図である。
【図３】本発明に係る被覆シートについて下半部をめくり上げ且つそのまま仮保持させる様子を説明した正面図である。
【図４】図３のＢ−Ｂ線位置に対応させた断面図であって（ａ）は蓋片を起こす前の状況を示してあり（ｂ）は蓋片を起こす途中の様子を示してある。
【図５】図３のＢ−Ｂ断面図である。
【図６】本発明に係る被覆シートを排液バッグの目隠し材として使用した状況を示したものであって（ａ）は目隠し時であり（ｂ）は排液の廃棄時である。
【発明を実施するための形態】
【００１３】
以下、本発明の実施の形態を、図面に基づき説明する。
図１乃至図５は、本発明に係る被覆シート１（以下、「本発明シート１」と言う）の第１実施形態を示している。
本発明シート１は、可撓性を有するシート本体２と、このシート本体２の一方面に貼付された粘着シート３とを有している。本発明シート１を使用する際には、多くの場合、粘着シート３が貼付されていない方の面を表側（外側）へ向け、粘着シート３が貼付されている方の面を裏側（内側）へ向けるようにする。
【００１４】
シート本体２は、低コスト化を追求するうえで不織布や紙などにより形成するのが好適である。用途として目隠し性を重要視する場合には不透明なものとすればよく、例えば柄や模様などを施したり着色したりしたものを採用すればよい。
なお、このシート本体２を樹脂フィルムや布などによって形成することも勿論可能である。樹脂フィルムを採用する場合には、金属成分によるコーティング（蒸着など）を施すこともできる。
【００１５】
粘着シート３は、少なくともシート本体２に向けられる面に粘着剤層（図示略）が設けられたものである。粘着剤層は、この粘着シート３をシート本体２に接着するうえで必要とされているだけでなく、後述する蓋片８を一時剥離させたときに、この剥離部位でシート本体２の表面と同じ向きに露出して、粘着性を生起させるという重要な作用を奏する。
本実施形態において、粘着シート３は、帯状に長く形成されたものをシート本体２の上辺部（図１の左右方向）に沿わせて貼り付けてある。
【００１６】
また本実施形態では、シート本体２に接着される面（図４（ａ）では粘着シート３の左側を向く面であり、以下では「隠れ粘着面３ａ」と言う）と、この隠れ粘着面３ａとは反対側へ向く面（図４（ａ）では粘着シート３の右側を向く面であり、以下では「露出粘着面３ｂ」と言う）との両面を粘着面とする両面テープによって形成されたものとしてある。
【００１７】
従ってこの粘着シート３は、未使用時には露出粘着面３ｂに剥離紙５を貼り付けておき、使用時にこの剥離紙５を剥がして露出粘着面３ｂを対象物（排液バッグ等）へ貼り付けるようにする。
粘着シート３（両面テープ）は、隠れ粘着面３ａが強粘着面とされ、露出粘着面３ｂが隠れ粘着面３ａ（強粘着面）よりも接着力の弱い弱粘着面とされている。
【００１８】
このようにすることで、本発明シート１を露出粘着面３ｂにより対象物へ貼り付けた後、本発明シート１を対象物から剥がす際に、露出粘着面３ｂ側での剥離を優先させ、もって粘着シート３（隠れ粘着面３ａ）がシート本体２から剥がれてしまうということを防止できる。
シート本体２には、その表側（粘着シートが貼付されていない面）に対して蓋片８が設けられている。なお、本実施形態では粘着シート３の長手方向（図１の左右方向）に沿って複数（４個）の蓋片８が並んで設けられたものとしてあるが、蓋片８の配置数や配置間隔などは特に限定されるものではなく、少なくとも１個あればよい。
【００１９】
図２に拡大して示すように、この蓋片８は、裏側に粘着シート３がオーバーラップするように、その配置が決められている（図４（ａ）及び（ｂ）も併せて参照）。そのため、蓋片８を引き起こすようにすることで、その下に控える粘着シート３の隠れ粘着面３ａを部分的に露出させることができる。
なお、蓋片８は、裏側に粘着シート３がオーバーラップしなくなる領域まで（図２中では粘着シート３の下方へ向けて）大きく拡張させているかのように見える。しかし、粘着シート３がオーバーラップしていない部分は、蓋片８を粘着シート３の隠れ粘着面３ａから剥離しやすくするためのツマミ部１２であって、本明細書では蓋片８とはしない。
【００２０】
すなわち、蓋片８はツマミ部１２を一体に備えて形成されたものとしているが、このなかで蓋片８として作用するのは、あくまでも裏側に粘着シート３がオーバーラップしている部分だけである。
このような蓋片８及びツマミ部１２は、シート本体２において裏側に粘着シート３がオーバーラップする領域内で互いに離反させて配置した二点を基端１３，１４として、これら基端１３，１４間をＵターン状に繋いだ切り抜き１５で縁取ることによって形成されたものと言うことができる。
【００２１】
切り抜き１５のうち、ツマミ部１２を縁取りしている部分は、ターン位置（ツマミ部１２の下端）から両側の基端１３，１４に向けてツマミ部１２を引き起こす際に、引き起こしの進行過程で一旦、基端間距離Ｌよりも幅広となる部位（図例ではツマミ部１２の最大幅部などを言う）を経た後に、基端間距離Ｌへ縮小される向きの傾斜成分Ｘを有して形成されている。この傾斜成分Ｘを有する部位は、粘着シート３の境界位置（蓋片８とツマミ部１２との境界位置に同じ）と交差する配置とされている。
【００２２】
このような傾斜成分Ｘを有しているため、ツマミ部１２を引き起こして蓋片８の剥離を開始する時点では、ツマミ部１２の引き起こし方向（図２中の真上方向）に対し、傾斜成分Ｘが隠れ粘着面３ａから引き離される方向（斜辺方向）を傾斜させるようになるので、剥離抵抗が小さく抑えられる効果を得られることになる。
殊に、剥離が進行すればするほど（剥離位置が図２中において上昇すればするほど）、隠れ粘着面３ａと蓋片８との接着面積は上窄み的に小さくなる傾向を示す。
【００２３】
これらのことから、蓋片８が粘着シート３の隠れ粘着面３ａから無理なく剥離されるようになり、蓋片８に破れや千切れ、伸長方向の変形などは生じず、スムーズ且つ綺麗に剥離させることができるようになる。
また切り抜き１５のうち蓋片８を縁取りしている部分は、蓋片１８とツマミ部１２との境界位置から両側の基端１３，１４に向けてこの蓋片８を剥離させる際に、剥離の進行過程で一旦、基端間距離Ｌよりも幅狭となる部位を経た後に、改めて基端間距離Ｌへ拡大される向きの傾斜成分Ｙを有して形成されている。
【００２４】
更に言えば、この切り抜き１５には、蓋片８とツマミ部１２との境界位置を超えて、実質的に蓋片８の剥離が開始される位置に対して、基端間距離Ｌよりも幅狭となるように幅方向内向きに突出するアール部１６が設けられたものとなっている。アール部１６は対向するように対となって配置されており、これらアール部１６，１６の対向間隔が蓋片８において最も狭幅部となる。
【００２５】
なお、本実施形態では、蓋片８の材質（シート本体２の全体材質に同じ）を不織布としたが、この場合にはアール部１６，１６の対向間隔Ｍ（図２参照）は５ｍｍ程度にするのが最適であった。
このようなアール部１６を有しているため、蓋片８が剥離を開始する時点では、粘着シートの隠れ粘着面３ａが露出してゆく過程にあって、アール部１６，１６の対向間隔に近づくほど接着幅（接着面積）が徐々に狭くなり、アール部１６，１６を超える段階から接着幅が徐々に広くなるという現象が起こる。
【００２６】
すなわち、最も剥離抵抗の大きな剥離開始時点から暫時的に剥離抵抗が小さくなる傾向を生じ，その後に次第に剥離抵抗が増すように変化するので、剥離が容易となり、しかも蓋片８において最も幅狭部分（アール部１６，１６の対向間に相当）に無理な力が伝搬し難く、千切れの発生防止作用が得られることになる。
のみならず、傾斜成分Ｙを有しているため、蓋片８を粘着シート３の隠れ粘着面３ａから剥離させてゆく過程では、剥離が進行すればするほど（剥離位置が図２中において上昇すればするほど）、隠れ粘着面３ａと蓋片８との接着幅（接着面積）は上広がり的に大きくなる傾向を示す。
【００２７】
そのため、蓋片８を剥離するために要する負荷は徐々に大きくなり、これに伴ってツマミ部１２を引き起こそうとする力も徐々に強くしなければならなくなる。その結果、必然的にツマミ部１２の引き起こしを制限するよう、操作者を促し、ツマミ部１２や蓋片８が引き千切られてしまうようなことは自ずと防止される。
すなわち、ツマミ部１２や蓋片８は、その引き起こして剥離させた後も正常な形状として確実に残存されることになるので、蓋片８を再び隠れ粘着面３ａに貼り戻すことも確実に行えることになる。これにより、本発明シート１の繰り返し使用が可能になる。
【００２８】
次に、本発明シート１を排液バッグの目隠しとして用いる場合を説明する。
図６（ａ）に示すように、排液バッグＰの表面（外向き面）に本発明シート１を貼り付けるには、粘着シート３の露出粘着面３ｂから剥離紙５（図４参照）を剥がし、この露出粘着面３ｂにより排液バッグＰの表面へ貼り付けるだけでよい（図５参照）。
排液バッグＰ内に溜まった排液を廃棄する場合など、本発明シート１が濡れたり汚れたりするおそれがある場合などでは、図６（ｂ）に示すように、排液バッグＰの表面に本発明シート１が貼り付けられたままの状態で、本発明シート１の粘着シート３が貼付されていない方の面（外面）から、都合のよい配置とされたツマミ部１２（図６（ｂ）では中央で隣り合う２つとしているが排液バッグＰの大きさに応じて図３に示すように左右両端の２つとしてもよい）を選んで摘みあげ、引き起こすようにする。
【００２９】
そして、ツマミ部１２の引き起こしに続けて蓋片８を剥離する。この際、蓋片８の剥離が極めてスムーズ且つ綺麗に行えることは前記した通りである。
蓋片８を剥離した後は、シート本体２の裾部２ｄをめくり上げるようにし、めくり上げたシート本体２を、蓋片８の引き起こしにより露出された粘着シート３の隠れ粘着面３ａに押し付けるようにする。これだけで、シート本体２は、めくり上げた状態が仮保持されるようになる。
【００３０】
排液バッグＰにおいて排液チューブＴを下向きに降ろし、排液を廃棄した後は、排液チューブＴの先端をチューブ端ソケットＳへ差し込んで保持させ、その後、めくり上げた状態のシート本体２を隠れ粘着面３ａから剥がして下げ降ろし、再び、蓋片８を隠れ粘着面３ａへ押し付けるようにすればよい。このようにして、本発明シート１は濡れや汚れなどを回避できるので、以後、可及的に繰り返しの使用が可能になる。
【００３１】
従って、経済的負担が徹底的に低減される。また、廃棄量を可能な限り減らせるのでゴミ発生数の解消にも大きく貢献できる。
ところで、本発明は、前記実施形態に限定されるものではなく、実施の形態に応じて更に適宜変更可能である。
例えば、前記したようにシート本体２の形成素材は何ら限定されるものではなく、またシート本体２の形状や大きさなどについても、用途などに応じて適宜変更可能なものである。
【００３２】
粘着シート３についても同様である。従って例えば、シート本体２に対して縦長方向に貼り付けたり、シート本体２の中央に貼り付けたり、シート本体２の半分乃至全面に貼り付けたりすることも任意である。
蓋片８及びツマミ部１２の配置や配置数についても特に限定されない。またそれらの形状についても、傾斜成分Ｘ，Ｙの一方又は両方を備えない形状などとしてもよい。
【００３３】
前記した実施形態では、粘着シート３に対してその下辺側へ蓋片８及びツマミ部１２が配置されるようにしたが、粘着シート３の上辺側へ蓋片８及びツマミ部１２を配置するようにしてもよい。この場合、ツマミ部１２はシート本体２の上方へ突出するように設けることもできる。
本発明シート１は、その用途についても限定されるものではない。例えば、棚などの目隠しシートとして使用したり、風、光、雨などを遮るためのカーテン等として使用したりすることもできる。
【００３４】
基端１３，１４間にも切り抜きを形成することは可能である。
【符号の説明】
【００３５】
１  被覆シート（本発明シート）
２  シート本体
２ｄ  裾部
３  粘着シート
３ａ  隠れ粘着面
３ｂ  露出粘着面
５  剥離紙
８  蓋片
１２  ツマミ部
１３  基端
１４  基端
１５  切り抜き
１６  アール部
Ｌ  基端間距離
Ｘ  傾斜成分
Ｙ  傾斜成分
Ｐ  排液バッグ
【図１】
2018068734.tif 000003
【図２】
2018068734.tif 000004
【図３】
2018068734.tif 000005
【図４】
2018068734.tif 000006
【図５】
2018068734.tif 000007
【図６】
2018068734.tif 000008